(57)【要約】【課題】コンクリート製構造物に生じた亀裂が拡大するのを抑制し、コンクリート製構造物自体が損壊するのを未然に防止し、しかも補強作業を簡単、迅速、安価に行うことを可能にしたコンクリート製構造物用補強具を提供する。【解決手段】コンクリート製構造物用補強具１は、一対の挿着軸部２と架橋軸部５とを一体にモルタル成形したものからなる。コンクリート製構造物２１の挿入孔２２に挿着する挿着軸部２は円柱状をなし、軸方向に離間して断面略凵状の複数の環状係止溝３形成してある。各環状係止溝３はモルタル導入溝４によって連通している。コンクリート製構造物２１の亀裂２３を横断する架橋軸部５は円柱状をなし、軸方向両端が挿着軸部２と連接している。【選択図】図１
2014227771.tif 000002
【特許請求の範囲】
【請求項１】
外周面に係止溝を有し、コンクリート製構造物に挿着する一対の挿着軸部と、軸方向両端が該一対の挿着軸部に連結し、前記コンクリート製構造物の亀裂を横断する架橋軸部とから略コ字型の形状からなり、前記一対の挿着軸部及び架橋軸部はモルタル成形により一体化したものであるコンクリート製構造物用補強具。
【請求項２】
前記係止溝は、前記挿着軸部に軸方向に離間して配設した複数の環状溝、又は軸方向に形成した螺旋状溝からなることを特徴とする請求項１記載のコンクリート製構造物用補強具。
【請求項３】
前記環状溝からなる複数の係止溝は、モルタル導入溝で連通させてあることを特徴とする請求項２記載のコンクリート製構造物用補強具。
【請求項４】
前記モルタル導入溝は、先端が前記挿着軸部の先端に開口した状態に形成してあることを特徴とする請求項３記載のコンクリート製構造物用補強具。
【請求項５】
前記挿着軸部は、外周面に周方向及び軸方向に離間して複数の姿勢保持片を突設してあることを特徴とする請求項１記載のコンクリート製構造物用補強具。
【請求項６】
前記一対の挿着軸部及び架橋軸部にかけて高強度の非金属製材料からなる補強材を配設してあることを特徴とする請求項１記載のコンクリート製構造物用補強具。
【発明の詳細な説明】
【技術分野】
【０００１】
本発明は、岸壁、堤防、ダムの突堤等のコンクリート製構造物に形成される亀裂が拡大するのを抑制し、構造物自体の損壊を未然に防止するコンクリート製構造物用補強具に関する。
【背景技術】
【０００２】
岸壁、堤防、ダムの突堤等のコンクリート製構造物は、コンクリートと鉄骨を組み合わせた構造からなるが、コンクリートは酸性雨や大気中の酸化物に接して次第にアルカリ化する。このコンクリートのアルカリ化に伴って鉄骨が発錆し、錆が更に拡大すると鉄骨は体積が約９％膨張することから終にはコンクリートが膨脹圧によって爆裂し、コンクリート構造物に亀裂や剥離が形成されてコンクリート構造物の強度性の低下を招くことになる。
【０００３】
また、鉄筋を組み込んでいないコンクリート製構造物もアルカリ化を起因とする経年劣化によって亀裂が形成されるが、岸壁のように強い波浪力を受けると亀裂が拡大して岸壁自体が損壊してしまう事態も生じる。
【０００４】
このコンクリート構造物の亀裂を補修する方法として、従来は亀裂にモルタルを加圧充填する、或いは亀裂を含む周辺を凹状に切削してモルタルを充填するといった補修方法が行なわれている。また、堤防の補修方法として、五徳縫い水防工法があり、亀裂１の周囲の法面２に杭部材１０を打ち込む前に、管状部材２０を打ち込んで打ち込み用孔１９を形成し、その後杭部材１０を打ち込んで五徳縫い水防工法を実施する技術が提案されている（特許文献１）。
【先行技術文献】
【特許文献】
【０００５】
【特許文献１】特開２０１１−１１１８２５
【発明の概要】
【発明が解決しようとする課題】
【０００６】
上述した従来技術において、モルタルを亀裂や凹部に単に充填する補修方法では、亀裂が更に拡大するのを防止することは不可能であるし、亀裂に雨水が浸透し、或いは浸透した雨水や雪が凍結して亀裂が更に拡大する事態を防止することは出来ないという欠点がある。また、五徳縫い水防工法にあっては、法面に打ち込んだ複数本の杭部材の上端側を交差させて紐で締結し、締結部位より上側に重りとしての土嚢を乗せることから、垂直面や傾斜面の補修には施工出来ないという欠点、補修工事に手間が掛り、費用が嵩む、耐久性に欠けるという欠点がある。
【０００７】
本発明は上述した従来技術の諸欠点に鑑みなされたもので、コンクリート製構造物に生じた亀裂が拡大するのを抑制し、コンクリート製構造物自体が損壊するのを未然に防止し、しかも補強作業を簡単、迅速、安価に行うことを可能にしたコンクリート製構造物用補強具（以下、補強具と称する。）を提供することを目的とする。
【課題を解決するための手段】
【０００８】
上述した課題を解決するために構成した本発明の手段は、外周面に係止溝を有し、コンクリート製構造物に挿着する一対の挿着軸部と、軸方向両端が該一対の挿着軸部に連結し、前記コンクリート製構造物の亀裂を横断する架橋軸部とから略コ字型の形状からなり、前記一対の挿着軸部及び架橋軸部はモルタル成形により一体化したものからなる。
【０００９】
そして、前記係止溝は、前記挿着軸部に軸方向に離間して配設した複数の環状溝、又は軸方向に形成した螺旋状溝にするとよい。
【００１０】
また、前記環状溝からなる複数の係止溝は、モルタル導入溝で連通させるとよい。
【００１１】
また、前記モルタル導入溝は、先端を前記挿着軸部の先端に開口した状態に形成するとよい。
【００１２】
更に、前記挿着軸部は、外周面に周方向及び軸方向に離間して複数の姿勢保持片を突設するとよい。
【００１３】
また、前記一対の挿着軸部及び架橋軸部にかけて高強度の非金属製材料からなる補強材を配設するとよい。
【発明の効果】
【００１４】
本発明は上述の如く構成したから下記の諸効果を奏する。
（１）補強具は、架橋軸部が亀裂を横断した状態でコンクリート製構造物に挿着する構成にしたから、亀裂の拡大を抑えることができる。
（２）補強具は、コンクリート製構造物に穿設した挿入孔にモルタルを充填して挿着するだけの作業で設置できるから作業性に優れている。
（３）補強具はモルタル成形により製作して金属材料は一切用いない構成にしたから、発錆したアンカーボルトや固定用金属片の体積増加によってコンクリート製構造物が爆裂し、また強度が低下するという従来の問題を完全に解消してコンクリート構造物の耐久性を大幅に高めることができる。
（４）補強具は、挿着軸部の外周面にモルタルが流入する複数の係止溝又は螺旋状溝を形成したから、コンクリート製構造物の挿入孔に確実かつ強固に挿着することができる。
（５）軸方向に離間する複数の環状係止溝はモルタル導入溝で連通させたから、全ての環状係止溝内にモルタルを充填させることができ、コンクリート製構造物により強固に固着することができる。
（６）モルタル導入溝はその先端を挿着軸部の先端に開口させたから、係止溝内にモルタルを速やかに導入させることができる。
（７）挿着軸部の外周面に周方向及び軸方向に離間して複数の姿勢保持片を突設したから、摺動性に欠けるコンクリート製構造物に容易に挿入することができ、しかも各姿勢保持片は硬化したモルタルに係着するので、補強具はコンクリート製構造物に強固に固着することができる。
（８）補強具は、一対の挿着軸部から架橋軸部にかけて高強度の非金属製材料からなる補強材を配設して高い強度性を持たせたから、コンクリート製構造物の亀裂の拡大を可及的に防止することができる。
【図面の簡単な説明】
【００１５】
【図１】本発明の実施の形態に係るコンクリート製構造物用補強具の正面図である。
【図２】補強具の部分拡大斜視図である。
【図３】補強具の使用状態を示す外観斜視図である。
【図４】補強具の他の使用状態を示す断面図である。
【発明を実施するための形態】
【００１６】
以下、本発明の実施の形態を図面に基づき詳述する。図において、１はモルタルで成形したコンクリート製構造物用補強具（以下、補強具１という。）を示し、コンクリート製構造物、例えば岸壁２１に穿設した挿入孔２２に挿着するものである。２、２は該補強具１を構成する一対の挿着軸部を示す。該各挿着軸部２はモルタルで円柱状に成形し、外周面２Ａに軸方向に離間して断面略凵状の環状係止溝３、３、３が３個形成してある。４は挿着軸部２の軸方向に形成したモルタル導入溝で、該モルタル導入溝４は各環状係止溝３に連通し、先端４Ａが挿着軸部２の先端２Ｂに開口している。
【００１７】
５は岸壁２１の表面２１Ａや裏面２１Ｂに形成された亀裂２３、２３を横断する円柱状の架橋軸部を示す。該架橋軸部５は軸方向両端が湾曲して前記一対の挿着軸部２、２の後端に連結して形成してある。
かくして、補強具１は一対の挿着軸部２、２と架橋軸部６とをモルタルによって略コ字状に成形したものからなる。なお、挿着軸部２及び架橋軸部６の長さは亀裂２３の幅と長さがコンクリート製構造物によって種々異なるものであるから、複数種のサイズのものを用意しておくとよい。
【００１８】
また、架橋軸部５から両挿着軸部２、２にかけて略コ字状に非金属製材料からなる補強材、例えばＦＲＰを埋設して補強具１の強度性をより高くするとよい。
【００１９】
６、６、・・は前記各環状係止溝３の間に位置して外周面２Ａに周方向及び軸方向に離間して突設した姿勢保持片を示す。該各姿勢保持片６は挿入孔２２の軸線に挿着軸部２の中心線が沿うように保持するためのもので、上面６Ａを前端から後端に向けて上り傾斜面に形成して挿入孔２２に挿入し易いようにしてある。
【００２０】
本実施の形態からなる補強具１は上述の構成からなるが、次にその作用について説明する。例えば、岸壁２１に亀裂２３が形成された場合、この亀裂２３の両側にドリルで挿入孔２２、２２、・・を穿設する。挿入孔２２の数は亀裂２３の長さに応じて適宜決めるとよい。次に、各挿入孔２２及び亀裂２３に注入ガンによってモルタル２４を充填し、架橋軸部５が亀裂２３を横断するようにして挿着軸部２、２を挿入孔２２、２２に押圧しながら差し込む。そして、モルタル２４が硬化することによって、補強具１は岸壁２１に強固に固定することができる。このようにして、図３に示すように複数個の補強具１、１、１を亀裂２３の全長に亘って適宜の間隔で岸壁２１に挿着することにより、亀裂２３の拡大を抑制することができる。
【００２１】
本実施の形態によれば、亀裂２３を横断する架橋軸部５が亀裂２３の幅方向両側位置に挿入固着した挿着軸部２、２を連結した状態で保持するから、亀裂２３の幅が拡大する事態を防止できる。また、挿着軸部２にモルタル導入溝４を形成したから挿入孔２２にモルタル２４を充填した状態で挿着軸部２を挿入した場合、モルタル２４がモルタル導入溝４を介して全ての環状係止溝３に流入するので、補強具１は岸壁２１に強固に固着することができる。
【００２２】
また、上記作用において、摺動性に欠けるコンクリート構造物である岸壁２１に摺動性の悪いモルタル製の挿着軸部２を無理なく挿入可能にするために、挿入孔２２は挿着軸部２の直径より幾分大径に設定して穿設してある。しかし、かくしては架橋軸部５の重みによって挿着軸部２は挿入孔２２に対して傾いた状態で岸壁２１に固定されてしまうことになり、岸壁２１が受ける波浪等の外力に対して十分な強度性を発揮できない事態が生じる。
そこで、挿着軸部２の外周面２Ａに複数の姿勢保持片６を周方向及び軸方向に離間して設け、各姿勢保持片６が挿入孔２２の内面に接することで挿着軸部２自体の接触面を可及的に小さくしたから、挿着軸部２は挿入孔２２に容易に挿入することができる。しかも、各姿勢保持片６は硬化するモルタル２４に食い込むことにより、補強具１は岸壁２１により強固に固着した状態にできる。
【００２３】
なお、本実施の形態では、挿着軸部２に係止溝として環状係止溝３を形成したが、軸方向に伸長する螺旋状係止溝にしてもよい。
【００２４】
また、本発明において補強具１をモルタル成形する際、セメントにグラスファイバーやカーボンファイバー等の高強度の非金属製材料からなる補強材を配設して強度性を高めるとよい。
【符号の説明】
【００２５】
１        補強具
２        挿着軸部
２Ａ      外周面
３        環状係止溝
４        モルタル導入溝
４Ａ      先端
５        架橋軸部
６        姿勢保持片
２１      岸壁（コンクリート製構造物）
２３      亀裂
２４      モルタル
【図１】
2014227771.tif 000003
【図２】
2014227771.tif 000004
【図３】
2014227771.tif 000005
【図４】
2014227771.tif 000006